【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
画像表示装置の表示画面上に表示されるデータの表示をコンピュータにより条件付きで書式設定する方法であって、
前記表示画面上において条件付で書式設定する前記データの１つまたは複数のパラメータをユーザに特定させるための表示を前記表示画面上に行い、該ユーザの特定を、ユーザ入力インタフェースを介して入力するステップと、
あらかじめ設定された条件をユーザに選択させるための表示を前記表示画面上に行い、該ユーザの選択を、前記ユーザ入力インタフェースを介して入力するステップと、
ユーザにより選択された前記あらかじめ設定された条件を、ユーザにより特定された前記パラメータにあらかじめ設定された出力書式で自動的に暫定的に適用するステップと、
ユーザにより選択された前記あらかじめ設定された条件を満たす、ユーザにより特定された前記パラメータの１つまたは複数に適用された前記あらかじめ設定された出力書式の暫定のプレビューを前記表示画面上に表示するステップと
を備えることを特徴とする方法。
【請求項２】
前記方法は、コンピュータオペレーティングシステムによって行われることを特徴とする請求項１に記載の方法。
【請求項３】
前記あらかじめ設定された条件は、あらかじめ設定された条件のセットから選択されることを特徴とする請求項１に記載の方法。
【請求項４】
前記あらかじめ設定された条件のセットは、少なくとも３つの異なった条件を備えることを特徴とする請求項３に記載の方法。
【請求項５】
前記条件の１つはカラー・グラディエント（色勾配）であることを特徴とする請求項４に記載の方法。
【請求項６】
前記条件の１つがパラメータによって満たされる場合、該パラメータは強調表示されることを特徴とする請求項４に記載の方法。
【請求項７】
前記データは集計表データであることを特徴とする請求項１に記載の方法。
【請求項８】
前記あらかじめ設定された出力書式の１つは、少なくとも２つの異なるアイコンからなるアイコンセットであることを特徴とする請求項３に記載の方法。
【請求項９】
各アイコンは、前記パラメータの異なる相対的な値に関連付けられることを特徴とする請求項８に記載の方法。
【請求項１０】
前記あらかじめ設定された条件のセットは、前記パラメータの相対的な大きさに関連するデータの棒であることを特徴とする請求項３に記載の方法。
【請求項１１】
コンピュータによって読み取ることができ、条件付き書式設定を使用して集計表データを表示するコンピュータプロセスを該コンピュータに実行させるための命令を符号化したコンピュータプログラムであって、前記プロセスは、
画像表示装置の表示画面上において条件付で書式設定する前記データの１つまたは複数のパラメータをユーザに特定させるための表示を前記表示画面上に行い、該ユーザの特定を、ユーザ入力インタフェースを介して入力するステップと、
あらかじめ設定された条件をユーザに選択させるための表示を前記表示画面上に行い、該ユーザの選択を、前記ユーザ入力インタフェースを介して入力するステップと、
ユーザにより選択された前記あらかじめ設定された条件を、ユーザにより特定された前記パラメータにあらかじめ設定された出力書式で自動的に暫定的に適用するステップと、
ユーザにより選択された前記あらかじめ設定された条件を満たす、ユーザにより特定された前記パラメータの１つまたは複数に適用された前記あらかじめ設定された出力書式の暫定のプレビューを前記表示画面上に表示するステップと
を含むことを特徴とするコンピュータプログラム。
【請求項１２】
前記あらかじめ設定された条件は、あらかじめ設定された条件のセットから選択されることを特徴とする請求項１１に記載のコンピュータプログラム。
【請求項１３】
前記条件のセットは、少なくとも３つの異なった条件を備えることを特徴とする請求項１１に記載のコンピュータプログラム。
【請求項１４】
前記所定の出力書式の１つは、カラー・グラディエントであることを特徴とする請求項１１に記載のコンピュータプログラム。
【請求項１５】
前記所定の出力書式の１つは、少なくとも２つの異なるアイコンからなるアイコンセットであることを特徴とする請求項１２に記載のコンピュータプログラム。
【請求項１６】
各アイコンは、前記パラメータの異なる相対的な値に関連付けられることを特徴とする請求項１５に記載のコンピュータプログラム。
【請求項１７】
前記あらかじめ設定された条件のセットは、前記パラメータの相対的な大きさに関連するデータの棒であることを特徴とする請求項１２に記載のコンピュータプログラム。
【請求項１８】
前記条件の１つがパラメータによって満たされる場合、該パラメータは、前記表示上で強調表示されることを特徴とする請求項１２に記載のコンピュータプログラム。
【請求項１９】
前記条件付き書式設定は、あらかじめ設定された表示出力書式のセットから選択されることを特徴とする請求項１１に記載のコンピュータプログラム。
【請求項２０】
コンピュータシステムで操作することが可能なプログラムのグラフィカルユーザインターフェースであって、該グラフィカルユーザインターフェースは、データを表示する表示モジュールを有し、該表示モジュールは、
前記表示上において条件付きで書式設定するデータを特定するための選択モジュールと、
あらかじめ設定された条件のセットを提供する条件モジュールと、
あらかじめ設定された出力書式のセットを提供する出力書式モジュールと、
前記あらかじめ設定された条件のうち選択された１つの条件を満たすデータに、前記あらかじめ設定された出力書式のうちの選択された１つの出力書式を自動的に暫定的に適用し、前記あらかじめ設定された条件を満たす前記パラメータに適用された前記あらかじめ設定された出力書式を使用するデータの暫定のプレビューを前記表示の上に自動的に表示するプレビューモジュールと
を含むことを特徴とするグラフィカルユーザインターフェース。
【請求項２１】
前記あらかじめ設定された条件は、あらかじめ設定された条件のセットから選択されることを特徴とする請求項２０に記載のグラフィカルユーザインターフェース。
【請求項２２】
前記条件のセットは、少なくとも３つの異なった条件を備えることを特徴とする請求項２０に記載のグラフィカルユーザインターフェース。
【請求項２３】
前記あらかじめ設定された出力書式の１つは、カラー・グラディエントであることを特徴とする請求項２０に記載のグラフィカルユーザインターフェース。
【請求項２４】
前記条件の１つがパラメータによって満たされる場合、前記表示上でそのパラメータに前記あらかじめ設定された出力書式が適用されることを特徴とする請求項２０に記載のグラフィカルユーザインターフェース。
【請求項２５】
プレビューの後、条件付き書式設定を承認する前に、前記あらかじめ設定された条件の変更を行うことを可能にする条件付けダイアログモジュールをさらに備えることを特徴とする請求項２０に記載のグラフィカルユーザインターフェース。
【請求項２６】
プレビューの後、条件付き書式設定を承認する前に、前記あらかじめ設定された出力書式の変更を行うことを可能にする書式設定ダイアログモジュールをさらに備えることを特徴とする請求項２０に記載のグラフィカルユーザインターフェース。